(57)【要約】【課題】伝送遅延時間の異なる伝送路媒体を同時に利用してパケットを送信した際、受信側で確実にパケットを再構成する。【解決手段】一方の伝送装置２４は、それぞれ４系列ＣＨ１〜ＣＨ４とＣＨ５〜ＣＨ８からなる無線伝送路１２と光ファイバ伝送路１８を同時に利用してパケットＰａを送信する際、パケットＰａを８ビットずつ分割し、無線伝送路１２と光ファイバ伝送路１８の所定の系列ＣＨのフレームのタイムスロットにマッピングして、送信する。他方の伝送装置２６は、送信されたフレームを無線伝送路１２及び光ファイバ伝送路１８の他端側で受信し、遅延時間差を考慮してデマッピングし、パケットＰａを再構成する。【選択図】図１
2006080775.tif 000002
【特許請求の範囲】
【請求項１】
パケットを分割し、所定数のタイムスロットからなるフレームに載せて送信側から受信側へ伝送するデータ伝送システムにおいて、
前記送信側と受信側との間に設けられる、それぞれ複数系列からなる複数の固定帯域伝送路と、
前記パケットを前記タイムスロットのデータ量ずつ分割し、前記複数の固定帯域伝送路の所定の系列のフレームのタイムスロットにマッピングし、前記複数の固定帯域伝送路の一端側からそれぞれフレームとして送信する送信側装置と、
送信された前記フレームを前記複数の固定帯域伝送路の他端側で受信し、各系列毎に受信バッファに格納した後、デマッピングして前記パケットを再構成する受信側装置と、を備え、
前記受信側装置は、前記パケットがマッピングされた所定の系列の前記フレーム中、最後に到着したフレームが前記受信バッファに格納されたとき、各受信バッファから前記フレームを構成するデータを読み出してデマッピングし、前記パケットを再構成する
ことを特徴とするデータ伝送システム。
【請求項２】
請求項１記載のデータ伝送システムにおいて、
各系列の前記フレームは、前記複数の固定帯域伝送路の遅延時間差をカバーする数の複数フレーム構成とされ、この複数フレームを構成する少なくとも１つのフレーム中、特定のタイムスロットのデータがユニークとなっている
ことを特徴とするデータ伝送システム。
【請求項３】
請求項１又は２記載のデータ伝送システムにおいて、
前記複数の固定帯域伝送路には、無線伝送路と光ファイバ伝送路が含まれる
ことを特徴とするデータ伝送システム。
【発明の詳細な説明】
【技術分野】
【０００１】
この発明は、送信側でパケットをフレーム内に分割し、伝送路を通じて受信側に伝送し、受信側で前記フレームから前記パケットを再構成するデータ伝送システムに関する。
【背景技術】
【０００２】
従来から、国土交通省、警察庁及び内閣府等の官公庁、都道府県及び市町村等の自治体、電力会社及びガス会社等の公共事業者では、防災業務、電力系統保護等の目的で自営回線を構築している。
【０００３】
この自営回線として、従来、伝送路媒体を光ファイバとするネットワークが構築されている（非特許文献１）。
【０００４】
この光ファイバネットワークでは、端局装置間が自営設備である光ファイバにより接続され、各端局装置にＬＡＮ（Local  Area  Network）接続機器やＭＰＥＧ２インタフェース等を有するカメラ等の端末装置が接続され、送信側の端末装置から出力されるパケットが一方の端局装置でフレームに分割されるとともにＥ／Ｏ（電気／光学）変換されて光ファイバの一端に供給され、光ファイバの他端まで伝送されたフレームが他方の端局装置によりＯ／Ｅ変換された後、パケットに合成され、受信側の端末装置に伝送されるように構成されている。
【０００５】
図１１は、伝送線路に冗長性があり、今後に想定されるデータ伝送システム２の構成を示している。
【０００６】
このデータ伝送システム２では、伝送装置４と伝送装置６との間に、無線装置８、１０に接続された無線伝送路１２と、端局装置１４、１６に接続された光ファイバ伝送路１８が設けられている。この場合、伝送装置４と端局装置１４及び無線装置８との間、伝送装置６と端局装置１６及び無線装置１０との間には、それぞれ４系列（４ＣＨ：４チャネル）の各６［Ｍｂｐｓ］帯域の有線伝送路が接続されている。
【０００７】
なお、実際上、伝送装置４と伝送装置６との間の各系列は、全二重の回線であるが、繁雑となるので、一方向のみの伝送により説明する。
【０００８】
【非特許文献１】国土交通省（旧建設省）「ディジタル端局装置（ＳＤＨ）仕様書」建電通仕（国電通仕）第４２号、平成１０年６月３日制定、平成１１年９月２４日改訂
【発明の開示】
【発明が解決しようとする課題】
【０００９】
ところで、このように構成されるデータ伝送システム２においては、一般には、無線伝送路１２あるいは光ファイバ伝送路１８のみを単独で利用して伝送装置４と伝送装置６との間でデータ伝送を行うことになるが、回線の有効利用のため、あるいは伝送速度（伝送帯域）を向上させるために、伝送装置４から所定のパケットを伝送装置６に送信する際に、無線伝送路１２（無線回線）及び光ファイバ伝送路１８（光ファイバ回線）を両方同時に利用することが考えられる。
【００１０】
しかしながら、無線回線と光ファイバ回線とを同時に使用することを考えた場合、無線回線に比較して光ファイバ回線の伝送遅延が大きく、受信側の伝送装置６で、パケットを確実に再構成することができないという課題がある。
【００１１】
なお、伝送路媒体としては、さらに、メタリック回線（有線）等も考えられ、このように、伝送遅延時間の異なる伝送路媒体（光ファイバ回線と無線回線、無線回線とメタリック回線、又はメタリック回線と光ファイバ回線等）を同時に利用して所定のパケットを伝送する際に、あるいは同一の伝送路媒体、例えば、衛星を介する無線通信（衛星回線という。）と直接の無線通信（直接回線という。）等の場合であっても各回線の伝送遅延時間が異なる場合にはパケットの再構成が困難であるという問題がある。
【００１２】
この発明は、このような課題を考慮してなされたものであり、伝送遅延時間の異なる伝送路媒体あるいは異なる回線を同時に利用して所定のパケットを送信した際、受信側で確実に前記パケットを再構成することを可能とするデータ伝送システムを提供することを目的とする。
【課題を解決するための手段】
【００１３】
この発明に係るデータ伝送システムは、パケットを分割し、所定数のタイムスロットからなるフレームに載せて送信側から受信側へ伝送するデータ伝送システムにおいて、前記送信側と受信側との間に設けられる、それぞれ複数系列からなる複数の固定帯域伝送路と、前記パケットを前記タイムスロットのデータ量ずつ分割し、前記複数の固定帯域伝送路の所定の系列のフレームのタイムスロットにマッピングし、前記複数の固定帯域伝送路の一端側からそれぞれフレームとして送信する送信側装置と、送信された前記フレームを前記複数の固定帯域伝送路の他端側で受信し、各系列毎に受信バッファに格納した後、デマッピングして前記パケットを再構成する受信側装置と、を備え、前記受信側装置は、前記パケットがマッピングされた所定の系列の前記フレーム中、最後に到着したフレームが前記受信バッファに格納されたとき、各受信バッファから前記フレームを構成するデータを読み出してデマッピングし、前記パケットを再構成することを特徴とする。
【００１４】
この発明によれば、パケットをタイムスロットのデータ量単位に分割し、複数の固定帯域伝送路の所定の系列のフレームにマッピングして送信側装置から複数の固定帯域伝送路を通じて受信側装置に送り、受信側装置では、パケットを構成する最後のフレームが受信バッファに格納されたとき、各受信バッファから前記フレームを構成するデータを読み出してデマッピングし、パケットを再構成するようにしているので、確実にかつ最小の時間でパケットを再構成することができる。また、複数の固定帯域伝送路を同時に使用することができるので、伝送路の帯域を広くすることができる。
【００１５】
なお、パケットがマッピングされた所定の系列の前記フレーム中、最後に到着したフレームが前記受信バッファに格納されたときの判断は、例えば、各系列のフレームを、複数の固定帯域伝送路の遅延時間差をカバーする数の複数フレーム構成とし、この複数フレームを構成する少なくとも１つのフレーム中、特定のタイムスロットのデータをユニークとしておくことにより、自動的に可能となり、複数の固定帯域伝送路の遅延時間差が、複数フレームの１／２周期以内の遅延時間差であれば、確実にかつ最小の時間でパケットを再構成することができる。
【００１６】
また、パケットがマッピングされた所定の系列の前記フレーム中、最後に到着したフレームが前記受信バッファに格納されたときの判断は、例えば、系列間の最大遅延時間差が時間測定等により予め既知であれば、パケットがマッピングされ最初に到着した系列のフレームが到達してから前記の既知の最大遅延時間後に、最後に到着する系列のフレームの読出を開始する構成とすればよい。
【００１７】
なお、この発明に係る複数の固定帯域伝送路を、無線伝送路と光ファイバ伝送路とすること、あるいは無線伝送路、光ファイバ伝送路及び有線伝送路とすることができる。
【発明の効果】
【００１８】
この発明によれば、伝送遅延時間の異なる伝送路媒体、あるいは同一の伝送路媒体であっても異なる回線を同時に利用して所定のパケットを送信する際にパケットをタイムスロットのデータ量単位に区切り所定の系列のフレームにマッピングして送信側装置から受信側装置に送り、受信側装置では、パケットを構成する最後のフレームが受信バッファに格納されたとき、各受信バッファからマッピングされた順に読み出することでデマッピングし、パケットを再構成するようにしているので、確実にパケットを再構成することができる。
【発明を実施するための最良の形態】
【００１９】
以下、この発明の実施形態について図面を参照して説明する。なお、以下に参照する図面において、上記図１１に示したものと対応するものには同一の符号を付けてその詳細な説明は省略する。
【００２０】
図１は、この発明の一実施形態に係るデータ伝送システム２０の一部の構成を示している。
【００２１】
このデータ伝送システム２０では、例えばＡ地点設備２１に配置されるＲＰＲ（Resilient Packet Ring）機能を有する伝送装置２４と、Ｂ地点設備２２に配置されるＲＰＲ機能を有する伝送装置２６との間に、無線装置８、１０に接続されたマイクロ波多重伝送路である無線伝送路１２と、端局装置１４、１６に接続された光ファイバ伝送路１８の二重化された伝送路が設けられている。
【００２２】
なお、無線装置８と端局装置１４は、Ａ地点設備２１を構成し、無線装置１０と端局装置１６は、Ｂ地点設備２２を構成している。
【００２３】
この場合、伝送装置２４と端局装置１４及び無線装置８との間、伝送装置２６と端局装置１６及び無線装置１０との間には、それぞれ全二重の４系列（４ＣＨ：４チャネル）の各６［Ｍｂｐｓ］帯域の有線伝送路が接続されている。
【００２４】
無線伝送路１２及び光ファイバ伝送路１８は、それぞれ全二重の４系列（４ＣＨ）分以上の帯域を有するように構成されている。
【００２５】
図２は、ＲＰＲシステムとしてのデータ伝送システム２０の全体ブロック図を示している。
【００２６】
図２から分かるように、このデータ伝送システム２０では、Ｃ地点設備２３もＡ地点設備２１及びＢ地点設備２２と同様に構成されており、このＣ地点設備２３に配置されるＲＰＲ機能を有する伝送装置（不図示）は、Ａ地点設備２１及びＢ地点設備２２の伝送装置２４、２６に対して、それぞれ、同様の無線伝送路１２及び光ファイバ伝送路１８により伝送路が二重化されて接続されている。
【００２７】
ここで、例えば、Ａ地点設備２１とＢ地点設備２２間において、無線伝送路１２のみに障害が発生した場合には、Ａ地点設備２１とＢ地点設備２２間において、残りの光ファイバ伝送路１８を利用して通信が可能であり、これとは反対に、光ファイバ伝送路１８のみに障害が発生した場合には、Ａ地点設備２１とＢ地点設備２２間において、無線伝送路１２を利用して通信が可能である。
【００２８】
さらに、例えば、Ａ地点設備２１とＢ地点設備２２との間の無線伝送路１２と光ファイバ伝送路１８の両方同時に障害が発生した場合、Ａ地点設備２１とＢ地点設備２２とは、Ｃ地点設備２３を利用して迂回伝送ができ、障害に強いデータ伝送システム２０の構成となっている。
【００２９】
以下、Ａ地点設備２１とＢ地点設備２２を代表として、これらの構成及び通信の動作について説明する。
【００３０】
図１に示すように、Ａ地点設備２１の伝送装置２４には、レイヤ３スイッチ（Ｌ３スイッチ）３２を介して複数の端末３６が接続され、Ｂ地点設備２２の伝送装置２６には、Ｌ３スイッチ３４を介して複数の端末３８が接続されている。
【００３１】
図３は、伝送装置２４、２６を構成する送信側装置４２の構成を示している。
【００３２】
図４は、伝送装置２４、２６を構成する受信側装置４４の構成を示している。
【００３３】
図３に示すように、送信側装置４２は、たとえば端末３６からＬ３スイッチ３２を通じて供給されたイーサネットパケット（以下、パケットという。イーサネットは登録商標。）を後述するタイムスロットのデータ量に対応するバイト単位に分割するパケット分割部４６と、バイト単位に分割されたパケットを各系列ＣＨ１〜ＣＨ８のフレーム中のタイムスロットＴＳに分配する（載せる）マッピング部４８とを備えている。
【００３４】
系列ＣＨ１〜ＣＨ４のフレームは、無線伝送路１２を通じて図４に示す受信側装置４４に供給され、系列ＣＨ５〜ＣＨ８のフレームは光ファイバ伝送路１８を通じて受信側装置４４に供給される。
【００３５】
図５、図６は、各系列ＣＨ１〜ＣＨ８を伝送するフレームの構成を示している。図５はフレームの詳細構成図、図６はフレーム全体構成図である。
【００３６】
フレームは、４［ｍｓ］の長さを有するスーパーフレームＳＦが繰り返す構成とされ、１個のスーパーフレームＳＦは、３２個のフレームＦ１〜Ｆ３２から構成されている。
【００３７】
各フレームＦは、ヘッダ部とペイロード部とから構成され、ヘッダ部は、タイムスロットＴＳ９７（８ビット）、ＴＳ９８（８ビット）、オーバーヘッドＯＨ（５ビット）から構成され、ペイロード部は、タイムスロットＴＳ１〜ＴＳ９６（各８ビット）から構成される。各フレームＦの帯域は、（９８スロット×８ビット＋５ビット）／１２５［μｓ］＝６．３１２［Ｍｂｐｓ］である。
【００３８】
ここで、スーパーフレームＳＦの先頭フレームＦであるフレームＦ１の特定のタイムスロットであるタイムスロットＴＳ９７には、値「０＝００００００００＝００」が書き込まれ、フレームＦ２〜Ｆ３２のタイムスロットＴＳ９７には、値「１２８＝１１１１１１１１＝ＦＦ」が書き込まれる。したがって、フレームＦのタイムスロットＴＳ９７の値を判断することにより、スーパーフレームＳＦの繰り返しを検出することができる。すなわち、フレームＦ１のタイムスロットＴＳ９７のデータは他のフレームＦ２〜Ｆ３２のタイムスロットＴＳ９７のデータに対してユニークなデータとなっている。
【００３９】
図５、図６に示すように、各タイムスロットＴＳの書込アドレスＷＡＤは、１バイト毎にカウントアップするように構成され、スーパーフレームＳＦの先頭のフレームＦ１の先頭のタイムスロットＴＳ１をカウント値「１４８８」に設定し、第１７番目のフレームＦ１７のタイムスロットＴＳ９６をカウント値「３１６７」、フレームＦ１７のタイムスロットＴＳ９７をカウント値「０」、最後のフレームＦ３２の最後のタイムスロットであるオーバーヘッドＯＨをカウント値「１４８７」に設定するようにしている。
【００４０】
図４に示す受信側装置４４は、送信側装置４２のマッピング部４８で各系列ＣＨ１〜ＣＨ８のフレーム中のタイムスロットＴＳに分配された（載せられた）パケットを、それぞれＣＨ１〜ＣＨ８受信データＷＤ１〜ＷＤ８として受信する。
【００４１】
この場合、各系列の書込アドレス生成部５１〜５８は、スーパーフレームＳＦ中、フレームＦ１のタイムスロットＴＳ９７の値「０」を検出したとき、書込アドレスＷＡＤ＝１５８４を生成し、以下タイムスロットＴＳ毎に「１」だけカウントアップし、図５、図６に示した、各系列ＣＨ１〜ＣＨ８のスーパーフレームＳＦに対応する書込アドレスＷＡＤ１〜ＷＡＤ８を生成し、各系列ＣＨ１〜ＣＨ８に対応して設けられている受信バッファ６１〜６８に供給する。受信バッファ６１〜６８は、書込アドレスＷＡＤ１〜ＷＡＤ８で指定されるアドレスに対応するタイムスロットＴＳのデータを格納する。各受信バッファ６１〜６８のデータ容量は、（８ビット×９８＋５ビット×１）×１６＋所定時間Δｔ（読出遅延時間）分のビット数２＝２５２４８ビット（３１５６バイト）以上の値に設定されている。
【００４２】
また、遅延検出回路メモリリード制御部７２は、スーパーフレームＳＦ単位で受信データＷＤ１〜ＷＤ８の遅延を検出し、スーパーフレームＳＦを構成するフレームＦ１〜Ｆ３２中、最後に到着したフレームの受信データＷＤ１〜ＷＤ８が受信バッファ６１〜６８に格納されたときに、所定の読出アドレスＲＡＤを順次生成し、受信バッファ６１〜６８に供給する。
【００４３】
この読出アドレスＲＡＤによりＣＨ１〜ＣＨ８受信データＲＤ１〜ＲＤ８が受信バッファ６１〜６８から読み出される。
【００４４】
読み出した受信データＲＤ１〜ＲＤ８をパケット再構成部７４でマッピングすることで、Ａ地点設備２１の端末３６からＬ３スイッチ３２を通じて送信側装置４２に入力されたパケットが、受信側装置４４のパケット再構成部７４で再構成され、再構成されたパケットがＬ３スイッチ３４を通じて所定の宛先の端末３８に供給される。
【００４５】
このように制御することにより、この実施形態に係る異方伝送路である、無線伝送路１２と光ファイバ伝送路１８の伝送遅延時間が異なっている場合でも、確実にパケットを再構成することができる。
【００４６】
次に、基本的には以上のように構成されかつ動作するデータ伝送システム２０のパケット分割及びパケット再構成動作について例を挙げてさらに詳しく説明する。
【００４７】
なお、全系列ＣＨ１〜ＣＨ８を使用する伝送形態では繁雑となるので、ここでは理解の容易化のために、無線伝送路１２の系列ＣＨ３、ＣＨ４及び光ファイバ伝送路１８の系列ＣＨ５、ＣＨ６の４系列を同時に使用して伝送する伝送形態を例として説明する。
【００４８】
図７に示すように、ある端末３６からＬ３スイッチ３２を通じて伝送装置２４のパケット分割部４６にａ、ｂ、ｃ、…ｉの順からなる９バイトのパケットＰａが供給されるものとする。ここでは、理解の容易化のために９バイトのパケットとした。
【００４９】
このとき、パケット分割部４６は、予め定められた取り決めに従い、系列ＣＨ３〜ＣＨ６の４系列にパケットＰａを分割してマッピングする。ここでは、図７に示すように、スーパーフレームＳＦを構成する第２フレームＦ２の先頭のタイムスロットＴＳ１からＣＨ５、ＣＨ６、ＣＨ３、ＣＨ４、ＣＨ５…の順に、各１バイトのデータａ、ｂ、ｃ、…ｉをマッピングする。
【００５０】
このようにしてマッピング部４８でマッピングされ系列ＣＨ３〜ＣＨ６に分配されたデータをタイムスロットＴＳに載せた各スーパーフレームＳＦは、図示しないクロック信号に従い伝送装置２４を構成する送信側装置４２から同位相（図７に示す状態）で送信される。
【００５１】
この場合、４系列ＣＨ３〜ＣＨ６のフレームＦ中、系列ＣＨ３、ＣＨ４のフレームＦは、伝送装置２４を構成する送信側装置４２から無線装置８、無線伝送路１２を通じて無線装置１０で受信され、伝送装置２６の受信側装置４４に送信される。一方、４系列ＣＨ３〜ＣＨ６のフレームＦ中、系列ＣＨ５、ＣＨ６のフレームＦは、伝送装置２４を構成する送信側装置４２から端局装置１４、光ファイバ伝送路１８を通じて端局装置１６で受信され、伝送装置２６の受信側装置４４に送信される。
【００５２】
ここで、図８の上側の図「受信側：バッファ書込時」に示すように、受信側装置４４では、まず、時間的に先に受信側装置４４に到着する、換言すれば、遅延時間の少ない無線伝送路１２を経由した系列ＣＨ３、ＣＨ４の受信データＷＤ３、ＷＤ４をほぼ同時に受信する。このとき、書込アドレス生成部５３、５４は、受信データＷＤ３、ＷＤ４のフレームＦ１のタイムスロットＴＳ９７の値「０」を検出したとき、アドレスカウンタ値を「１５８４」とし、以下、タイムスロットＴＳを受信するごとに上述したようにカウントアップする。
【００５３】
このとき、受信バッファ６３のアドレスＷＡＤ３＝１５８４にはデータ「０」が、アドレスＷＡＤ３＝１５８７にはデータ「ｃ」が、アドレスＷＡＤ３＝１５８８にはデータ「ｇ」が書き込まれる。
【００５４】
同時に、受信バッファ６４のアドレスＷＡＤ４＝１５８４にはデータ「０」が、アドレスＷＡＤ４＝１５８７にはデータ「ｄ」が、アドレスＷＡＤ４＝１５８８にはデータ「ｈ」が書き込まれる。
【００５５】
次に、受信側装置４４では、無線伝送路１２に比較して遅延時間が遅延時間ｔｄ分だけ大きい光ファイバ伝送路１８を経由して、遅延時間ｔｄ遅れた到着した系列ＣＨ５、ＣＨ６の受信データＷＤ５、ＷＤ６を、書込アドレス生成部５５、５６及び受信バッファ６５、６６で受信する。
【００５６】
このとき、受信バッファ６５のアドレスＷＡＤ５＝１５８４にはデータ「０」が、アドレスＷＡＤ５＝１５８７にはデータ「ａ」が、アドレスＷＡＤ５＝１５８８にはデータ「ｅ」が、アドレスＷＡＤ５＝１５８９にはデータ「ｉ」が書き込まれる。
【００５７】
同時に、受信バッファ６６のアドレスＷＡＤ６＝１５８４にはデータ「０」が、アドレスＷＡＤ６＝１５８７にはデータ「ｂ」が、アドレスＷＡＤ６＝１５８８にはデータ「ｆ」が書き込まれる。
【００５８】
受信バッファ６５、６６のアドレスＷＡＤ５＝ＷＡＤ６＝１５８４にデータ「０」が書き込まれたとき、遅延検出回路メモリリード制御部７２は、所定時間Δｔ（遅延量１／４フレーム以内とする。）後に、受信バッファ６３〜６６に対して、図８の下側の図「受信側：バッファ読出時」に示すように、読出アドレスＲＡＤ３〜ＲＡＤ６＝１５８４、１５８５、１５８６、１５８７、１５８８、１５８９、…を供給する。
【００５９】
図９は、上述した受信側装置４４の遅延検出回路メモリリード制御部７２のより詳しい動作説明に供されるフローチャートである。
【００６０】
まず、ステップＳ１において、それぞれスーパーフレームＳＦからなる系列ＣＨ３〜ＣＨ６のうち、系列ＣＨ３を基準系列（ＣＨ）に仮に設定する。
【００６１】
次にステップＳ２において、基準系列のタイムスロットＴＳ９７が値「０」のとき、基準系列（ＣＨ３）の書込アドレスＷＡＤ３の値と、他の系列（ＣＨ４〜ＣＨ６）の書込アドレスＷＡＤ４〜６の値とを比較する。
【００６２】
次いで、ステップＳ３において、基準系列（ＣＨ３）の書込アドレスＷＡＤ３の値が、他の系列（ＣＨ４〜ＣＨ６）の書込アドレスＷＡＤ４〜６の値とを比較し一番小さい（最も小さい）かどうかを判断し、小さくなかった場合には、一番遅れている系列（この場合、系列ＣＨ５又はＣＨ６）を基準系列（ＣＨ）に設定する。
【００６３】
そして、再度ステップＳ２の比較処理を行い、ステップＳ３の判断が成立したとき、次に、ステップＳ５において、最も遅く到着した基準系列である系列ＣＨ５のフレームＦ２を受信バッファ６５に書き込んだとき、読み出す。
【００６４】
すなわち、上述したように、読出アドレスＲＡＤ３〜ＲＡＤ６＝１５８４、１５８５、１５８６、１５８７、１５８８、１５８９、…を受信バッファ６３〜６６に供給する。
【００６５】
この場合、パケット再構成部７４は、読出アドレスＲＡＤ３〜ＲＡＤ６＝１５８４、１５８５、１５８６、１５８７、１５８８、１５８９、…により受信バッファ６３〜６６から読み出されたデータａ、ｂ、ｃ、…ｉを、予め定められた取り決めに従い、データａ、ｂ、ｃ、…ｉの順にデマッピングし、パケットＰａを再構成する。
【００６６】
パケット再構成部７４により再構成されたパケットＰａは、Ｌ３スイッチ３４を通じて宛先の端末３８に送出される。
【００６７】
以上説明したように上述した実施形態によれば、パケットＰａを分割し、所定数（タイムスロットＴＳ１〜ＴＳ９８とオーバーヘッドの計９９個）のタイムスロットＴＳからなるフレームＦに載せて送信側から受信側へ伝送するデータ伝送システム２０に適用される。
【００６８】
この場合、伝送装置２４、２６を構成する送信側装置４２は、それぞれ複数系列である４系列ＣＨ１〜ＣＨ４とＣＨ５〜ＣＨ８からなる第１固定伝送路である無線伝送路１２と第２固定帯域伝送路である光ファイバ伝送路１８を同時に利用してパケットＰａを送信する際、パケットＰａをタイムスロットＴＳのデータ量（ここでは８ビット）ずつ分割し、無線伝送路１２と光ファイバ伝送路１８の所定の系列ＣＨのフレームＦのタイムスロットＴＳにマッピングし、無線伝送路１２及び光ファイバ伝送路１８の一端側からそれぞれスーパーフレームＳＦとして送信する。
【００６９】
受信側装置４４は、送信された各スーパーフレームＳＦを無線伝送路１２及び光ファイバ伝送路１８の他端側で受信し、各系列ＣＨ１〜ＣＨ８毎に受信バッファ６１〜６８に格納した後、デマッピングしてパケットＰａを再構成する。
【００７０】
この場合、受信側装置４４は、パケットＰａがマッピングされた所定の系列のスーパーフレームＳＦ中、最後に到着したフレームＦが受信バッファ６１〜６８に格納されたとき、各受信バッファ６１〜６８からフレームＦを構成するデータを読み出してデマッピングし、パケットＰａを再構成するようにしている。
【００７１】
このため、確実にかつ最小の時間でパケットＰａを再構成することができる。
【００７２】
この場合、各系列ＣＨ１〜ＣＨ８のフレームＦを、無線伝送路１２と光ファイバ伝送路１８との間の遅延時間ｔｄ差をカバーする数の複数フレーム構成（スーパーフレームＳＦ）とし、このスーパーフレームＳＦを構成する少なくとも１つのフレームＦ１中、特定のタイムスロットＴＳ９７のデータを他のフレームＦ２〜Ｆ３２のタイムスロットＴＳ９７のデータ（この実施形態では「１１１１１１１１」＝「ＦＦ」）に対してユニークである「０＝００００００００＝「００」」としているので、無線伝送路１２と光ファイバ伝送路１８の遅延時間差ｔｄが、スーパーフレームＳＦの１／２周期である２［ｍｓ］以内の遅延時間差ｔｄであれば、確実にかつ最小の時間でパケットＰａを再構成することができる。
【００７３】
なお、上述した実施形態では、図２に示した無線伝送路１２及び光ファイバ伝送路１８により伝送路が二重化されたデータ伝送システム２０を例として説明しているがこれに限らず、図１０に示すように、無線伝送路１２によりＲＰＲシステムが構成されたデータ伝送システム２０Ａに適用することもできる。
【００７４】
この図１０例では、例えば、既存の光ファイバ伝送路１８が、Ａ地点設備２１とＢ地点設備２２との間にのみ配設されており、このＡ地点設備２１とＢ地点設備２２間では、無線伝送路１２の他に、既存の光ファイバ伝送路１８を併用することにより帯域の広帯域化を図ることができる。
【図面の簡単な説明】
【００７５】
【図１】この発明の一実施形態に係るデータ伝送システムの一部の構成を示すブロック図である。
【図２】データ伝送システムの全体構成ブロック図である。
【図３】伝送装置を構成する送信側装置のブロック図である。
【図４】伝送装置を構成する受信側装置のブロック図である。
【図５】スーパーフレームの詳細構成を示す説明図である。
【図６】スーパーフレームの全体構成を示す説明図である。
【図７】パケットを分割してフレームに載せて送信する送信側の動作説明図である。
【図８】受信したフレームからパケットを再構成する受信側の動作説明図である。
【図９】遅延検出回路メモリリード制御部の動作説明に供されるフローチャートである。
【図１０】他の実施形態に係るデータ伝送システムの全体構成ブロック図である。
【図１１】問題点の説明図である。
【符号の説明】
【００７６】
８、１０…無線装置                １２…無線伝送路
１４、１６…端局装置              １８…光ファイバ伝送路
２０、２０Ａ…データ伝送システム  ２１…Ａ地点設備
２２…Ｂ地点設備                  ２３…Ｃ地点設備
２４、２６…伝送装置              ３２、３４…Ｌ３スイッチ
３６、３８…端末                  ４２…送信側装置
４４…受信側装置                  ４６…パケット分割部
４８…マッピング部                ５１〜５８…書込アドレス生成部
６１〜６８…受信バッファ          ７２…遅延検出回路メモリリード制御部
７４…パケット再構成部
【図１】
2006080775.tif 000003
【図２】
2006080775.tif 000004
【図３】
2006080775.tif 000005
【図４】
2006080775.tif 000006
【図５】
2006080775.tif 000007
【図６】
2006080775.tif 000008
【図７】
2006080775.tif 000009
【図８】
2006080775.tif 000010
【図９】
2006080775.tif 000011
【図１０】
2006080775.tif 000012
【図１１】
2006080775.tif 000013